(57)【特許請求の範囲】
【請求項１】
ビット本体の先端に、ブロック体からなる切刃チップを固着し、該切刃チップに、周方向に複数の切刃部を形設したドリルビットにおいて、
上記複数の切刃部の各切刃部間からビット本体基部に掛けてドリルビット側面に平面部を形成し、ビット本体を断面が略角形のストレート形状に構成し、
上記ビット本体と切刃チップの固着部に、各切刃部の外端部をビット本体面より僅かに突出させ全周にわたって段部を形成したことを特徴とするドリルビット。
【請求項２】
ビット本体の先端に、ブロック体からなる切刃チップを固着し、該切刃チップに、周方向に複数の切刃部を形設したドリルビットにおいて、
上記複数の切刃部の各切刃部間からビット本体基部に掛けてドリルビット側面に該ビット本体長手方向に延びる凹面部を形成し、ビット本体を断面が略角形のストレート形状に構成し、
上記ビット本体と切刃チップの固着部に、各切刃部の外端部をビット本体面より僅かに突出させ全周にわたって段部を形成したことを特徴とするドリルビット。
【請求項３】
前記切刃チップに３つの切刃部を形設し、ビット本体の断面を略三角形のストレート形状にしたことを特徴とする請求項１又は２記載のドリルビット。
【請求項５】
前記切刃チップの各切刃部に形成した切削面と逃げ面との接合線を切削エッジとし、これらの切削エッジを刃先頂点で接合させて刃先頂点をチゼルポイントのない尖端形状にしたことを特徴とする請求項１〜３のいずれか１の項に記載のドリルビット。
【請求項６】
前記ビット本体の基部を適宜長さとなるよう切断して切口を設け、該ドリルビットの全長を設定したことを特徴とする請求項１〜３又は５のいずれか１項に記載のドリルビット。
【発明の詳細な説明】
〔技術分野〕
本発明は、ビット本体の先端方に超硬合金製の切刃チップをろう付けや溶接等で固着したドリルビットに関するものであり、さらに詳しくは、構成をシンプルにし、且つ、剛性が高くコンクリートや石材等に対する穿孔において切削屑の排出が良好におこなえる、ドリルビットに関するものである。
〔技術背景〕
コンクリートや石材等に対する穿孔には、回転ハンマードリル装置等のドリル装置に専用のドリルビットを取着し、回転による切削又は軸心方向の振動的な打撃力と回転トルクの両作用を同時に与えての穿孔が行われている。そして、この種の穿孔作業の高能率化に対する要求に応えるために、ドリルビットとしては、鋼製のビット本体の先端方に、耐摩耗性に優れる超硬合金製の切刃チップをろう付けや溶接等で固着したものが多用されている。また、上記ビット本体の基部には、汎用のドリル同様に、駆動軸に合致した規格化されたシャンク部を延設し、ビット本体外周には、切刃チップの各切刃部に対応させて切屑排出溝を設けた構成のものが多い。
ところで、ドリルビットを使用してコンクリートや石材等に対する穿孔作業、すなわち、孔あけ加工（切削加工）では、多くの粉粒状の切屑を生じるが、これらの切屑は必ずしもビット本体の切屑排出溝を通って排出されるとは限らない。
特に、回転ハンマードリル装置又は振動ドリル装置を使用する穿孔では、ドリルビットの刃先が瞬間的にドリル孔の切削面から浮上して直ぐにドリル孔の切削面を衝撃的に打当する切削（打撃切削）がおこなわれ、この打当時のドリルビットの軸心方向の動きにも助けられてビット本体とドリル孔との隙間から排出される切屑も多い。
また、回転ハンマードリル装置又は振動ドリル装置の場合、ドリル孔の切削面に比較的大粒の切屑が発生することがあっても、ドリル孔の切削面に対する打撃切削が繰り返される間に細かく破砕されるので、大粒の切屑がドリル孔内に残されて穿孔作業に支障を来すようなこともほとんどない。
ところが一方において、ビット径の小さいドリルビットの場合、例えば、ビット径が６ｍｍ程度以下のドリルビットにおいて、ビット本体外周に螺旋状に切屑排出溝を設けた構成のものは、該切屑排出溝によってドリルビットの剛性が低下し、その結果、穿孔中の折損率が高くなる。特に、軸方向の衝撃力が作用する回転ハンマードリル装置及び振動ドリル装置を使用した穿孔作業では折損率が高くなる。
〔発明の開示〕
本発明は、このような現況にかんがみおこなわれたもので、コンクリートや石材等に穿孔するドリルビットとして、穿孔機能に関し従来のドリルビットと何ら変わることなく、構成をシンプルにして生産性を向上させ、且つ、ビット本体の剛性を高めて耐久性を向上させ、特に、小径孔用のドリルビットに適用すると好適な、ドリルビットを提供することを目的とする。
本第１の発明に係るドリルビットは、ビット本体の先端にブロック体からなる切刃チップを固着し、該切刃チップに、周方向に複数の切刃部を形設したドリルビットにおいて、各切刃部間からビット本体基部に掛けてドリルビット側面に平面部を形成し、ビット本体を断面が略角形のストレート形状に構成し、上記ビット本体と切刃チップの固着部に、各切刃部の外端部をビット本体面より僅かに突出させ全周にわたって段部を形成したことを特徴とする。
本第２の発明に係るドリルビットは、ビット本体の先端に、ブロック体からなる切刃チップを固着し、該切刃チップに、周方向に複数の切刃部を形設したドリルビットにおいて、各切刃部間からビット本体基部に掛けてドリルビット側面に該ビット本体長手方向に延びる凹面部を形成し、ビット本体を断面が略角形のストレート形状に構成し、上記ビット本体と切刃チップの固着部に、各切刃部の外端部をビット本体面より僅かに突出させ全周にわたって段部を形成したことを特徴とする。
上述のように構成されたドリルビットによれば、コンクリートや石材等に対する穿孔作業において、断面が略角形のストレート形状をなすビット本体とドリル孔との間には、従来の円形断面のドリルビットで穿孔する場合に形成される隙間と比較して、大きな隙間ができる。従って、穿孔時に先端で生じる粉粒状の切屑は、ドリルビットの軸心方向の動きにも助けられて、先端から上記隙間を上がって、ドリル孔の外方に円滑に排出される。また、ドリルビットが軸心方向に動く打撃切削に際し、ビット本体から外向きに突出する各切刃部の段部によって、ドリル孔内の切屑を掻き上げる作用がさらに助長されることによって、さらに切屑の排出性に優れた構成となる。
従って、本発明に係るドリルビットは、従来のドリルビットと遜色のない穿孔機能を発揮する。また、本ドリルビットは、切屑排出溝のない所定の長さの、断面が略角形のストレート形状をなすビット本体の先端に、ブロック体からなる切刃チップを単に固着すればよいことから、製造時において生産性に優れたドリルビットとなる。しかも、ビット本体は断面が略角形のストレート形状であり、従来のように矩形断面の切屑排出溝がないことに起因して、材料力学上の「切欠き効果」を無くすことができることから、従来のものに比べて剛性低下がなく、特に、穿孔中に折損し易い小径孔用のドリルビットに好適なドリルビットとなる。そして、本発明にかかるドリルビットは、小径のものは勿論、大径のドリルビットにおいても、折損し難く耐久性に優れ、高品質のドリルビット（製品）となる。しかも、上述のように、生産性を高めるのに適していることから、安価に提供できるドリルビットとなる。
本発明にかかる上記ドリルビットにおいて、上記切刃チップに３つの切刃部を形設し、ビット本体の断面を略三角形のストレート形状にした構成を採用すると、実用面から最適な実施の形態となり、穿孔時の回転バランスがよく、効率のよい切刃部の切削性と、信頼性の高いビット本体の剛性が得られる。
また、上記ドリルビットにおいて、上記切刃チップの各切刃部に形成した切削面と逃げ面との接合線を切削エッジとし、これらの切削エッジを刃先頂点で接合させて刃先頂点をチゼルポイントのない尖端形状にした構成にすると、コンクリートや石材等に対する穿孔作業中、隣接する切削エッジが協動して、ドリル孔の切削面に発生する大粒の切屑を、効果的に細かく破砕することになり、刃先が受ける偏った抵抗を軽減するとともに、ドリルビットの芯ぶれをなくし、常に、尖端構造の刃先頂点をドリル孔の切削面中心に対応させることができる構成となる。この結果、本ドリルビットによって穿孔されるドリル孔の真円度が向上し、精度の高い定径孔の穿孔がおこなえる。
さらに、本発明にかかるドリルビットにおいて、上記ビット本体基部に、汎用のドリル同様に規格化されたシャンクを付設した構成にしてもよく、かかる場合、共通のドリルビット取着用の駆動軸（一つの回転ハンマードリル）に対し、径の異なるドリルビットを適宜交換して使用することができることから、ビット交換が短時間にできる点で便利なドリルビットとなる。しかし、本発明にかかるドリルビットであってシャンクを付設しないものでも、一般的な回転ハンマードリルの駆動軸に装着したチャック構造によって、断面角形のストレート形状をなすビット本体基部を直接に且つ簡単に把持（連結）させて使用することができる。この場合には、ドリルビットのビット本体基部を単に適宜長さに切断して切口とすればよいことから、製作上、加工工数が低減でき、材料も節約でき、安価に提供できる。また、ドリルビット自体が軽量化されるので携行性もよくなる。
なお、本ドリルビットは、回転ハンマードリル装置、振動ドリル装置は勿論、回転ドリル装置にも使用することができる。
〔発明を実施するための最良の形態〕
以下、本発明にかかるドリルビットの第１の実施例を、図面に基づいて説明する。
第１図〜第４図に図示するように、ドリルビットは、ビット本体１とブロック体からなる切刃チップ２を具備する。上記ビット本体１は材質的には鋼製で、このビット本体１の先端（下端）には、超硬合金製の上記切刃チップ２が固着されている。
この切刃チップ２には、第４図に図示するように、周方向に等配的に３つの切刃部２ａ，２ｂ，２ｃが形設されている。しかし、図示しないが、３つの切刃部２ａ，２ｂ，２ｃは、周方向に略等配あるいは不等配とすることもできる。
そして、上記各切刃部２ａ，２ｂ，２ｃには、それぞれ切削面４と逃げ面５が形成され、該切削面４と逃げ面５の接合線が切削エッジ６となっている。これらの各切削エッジ６は刃先頂点７で接合することによって、該刃先頂点７はチゼルポイントのない尖端形状になっている。
第４図および第１図に示すように、切刃チップ２の各切刃部２ａ，２ｂ，２ｃの隣接する切刃部の各間を始端としビット本体１の基端を終端とする平面部３がドリルビットの側面に形成されている。つまり、この実施例の場合、各切刃部２ａ，２ｂ，２ｃのうちの隣接する二つの切刃部の間の側面部位には平面３Ａが形成されるとともに、該平面３Ａに段付きで接続する平面３Ｂがビット本体１の先端から基端にわたって長手方向に沿ってストレート状に形成されている。
そして、３つの上記平面３Ａおよび３つの上記平面３Ｂによって、ドリルビットの各切刃部２ａ，２ｂ，２ｃの基端から後端側の断面は、略角形、この実施例では、「略三角形」、つまり各平面３Ｂが接する角部がラウンド状になった三角形状になっている。上記ビット本体１は、断面が略三角形状の、ストレート形状に構成されている。
また、ビット本体１と切刃チップ２を固着するに当たって、各切刃部２ａ，２ｂ，２ｃの外端部をビット本体１の外周面より僅かに外向き（外径側）に突出させて、該ビット本体１と切刃チップ２の間に、全周にわたって段部８を形成している（図１、図２参照）。
このドリルビットでは、ビット本体１の基部に、ドリル装置側に装着するためのシャンク部は特に形成されていない。つまり、上記切刃チップ２との接合部分からビット本体１基部の切口１ａ部分まで、上述のように、ストレート状に構成されている。しかし、第５図に図示するように、ビット本体１の基部に、シャンク部１０を形成してもよい。この場合、専用のドリルビット取着用の取着孔を持った駆動軸側に対して、径の異なるドリルビットを適宜交換して使用することができ、ビット交換が短時間でおこなえ且つ確実に保持（連結）できる点で優れた実施例となる。また、ドリルビットの断面は、略角形であればよく、例えば、第６図（ａ）に図示するように、第１図，第３図の平面部３Ｂに代えて、曲率面からなる凹面部１３Ｂで構成することもできる。かかる場合には、切刃チップ側も、平面部３Ａに代えて、上記凹面部１３Ｂと相似形の凹面部とすることが好ましい。
あるいは、第６図（ｂ）に図示するように、曲率と平面からなる凹面部１３Ｂとしてもよく、かかる場合には、切刃チップ側も、平面部３Ａに代えて、上記凹面部１３Ｂと相似形の凹面部とすることが好ましい。
さらには、略三角形に代えて、他の略角形、例えは、略四角形、略五角形等の略角形であってもよい。
上記実施例では、切刃チップ２の隣り合う各切刃部２ａ，２ｂ，２ｃ間の切削面４と逃げ面５とが直接接合するよう構成されているが、特にこの構成に限定されるものでなく、つまり、この構成に代えて、各切刃部２ａ，２ｂ，２ｃ間の切削面４と逃げ面５の間に、適当な形態のつなぎ面（図示せず）を設けた構成であってもよい。
そして、上述のように構成されたドリルビットは、使用に際し、回転ハンマードリル装置（あるいは振動ドリル装置）の駆動軸に設けられたチャックに、断面角形のストレート形状をなすビット本体１の基部が直接把持（連結）されることによって、コンクリートあるいは石等に対して穿孔作業をおこなうことができる。なお、第５図のシャンク部１０を有するドリルビットの場合には、駆動軸側の取着孔に取着される。
そして、該穿孔作業、つまり、コンクリートや石材等に対する穿孔作業において、ドリル孔内に生じる粉粒状の切屑は、ドリルビットの軸心方向の動き（ハンマリング動作）に起因し、また、該軸心方向の動きに起因する、各切刃部２ａ，２ｂ，２ｃの外端部に形成した段部８による掻き上げ作用によって、ビット本体１とドリル孔との隙間からドリル孔の外方に円滑に排出される。また、この実施例にかかるドリルビットでは、３つの切削エッジ６が刃先頂点７から放射方向に延び、刃先頂点７をチゼルポイントのない尖端形状の刃先になっていることから、打撃切削を伴う穿孔作業において、常に、尖端構造の刃先頂点７がドリル孔切削面の中心に位置することになり、精度の高い定径孔の穿孔が可能になる。また、回転ドリル装置の場合には、上記軸心方向の動きは生じず、回転方向の動作によって、切削され、切屑はビット本体１とドリル孔との隙間からドリル孔の外方に円滑に排出されることになる。
〔産業上の利用の可能性〕
本発明は、以上説明したような形態で実施される、本発明のドリルビットによれば、その使用に当たっては、回転ハンマードリル装置のチャック等を変更することなく、周知のドリルビットに代えて、そのまま取着することができる。その結果、コンクリートあるいは石等への穿設作業において、周知のドリルビットと遜色のない穿孔機能を発揮する。
加えて、本発明にかかるドリルビットによれば、従来のドリルビットのようにスパイラル状の切屑排出溝がなく、所定の長さの断面角形のストレート形状のビット本体先端に、ブロック体からなる切刃チップを固着した「シンプル」な構成であることから、生産性に優れ、また、切屑排出溝に起因する剛性低下がないことから耐久性に優れ、且つ安価に提供できる。
【図面の簡単な説明】
第１図は、本発明の実施例を示すドリルビットの全体斜視図である。
第２図は、第１図に示すドリルビットの側面図である。
第３図は、第１図に示すドリルビットの平面図である。
第４図は、第１図に示すドリルビットの底面図である。
第５図は、ビット本体に専用のシャンク部を設けた、第１図〜第４図とは別の実施例にかかるドリルビットの側面図である。
第６図は、第１図〜第４図とは別の実施例にかかるビット本体の断面形状を示す図で、（ａ）はドリルビット側面に凹面部が形成されているビット本体の断面図、（ｂ）はドリルビット側面に（ａ）とは別の形態の凹面部が形成されているビット本体の断面図である。
【図１】
0003796445.tif 000002
【図２】
0003796445.tif 000003
【図３】
0003796445.tif 000004
【図４】
0003796445.tif 000005
【図５】
0003796445.tif 000006
【図６】
0003796445.tif 000007